(57)【要約】【課題】共振を減少させ、コモンモード特性を向上させ、クロストークを抑制すると共に、組み立て作業の簡素化を図る。【課題を解決するための手段】本発明は、信号端子６とグランド端子５とが交互に並設されて構成される高速伝送電気コネクタであって、信号端子６とグランド端子５はそれぞれ中央部分で絶縁ハウジング４に固定され、各グランド端子５は中央部分に設けられた連結部１０によって一体化され、各信号端子５は絶縁ハウジング４の内部でグランド端子５に沿うように屈曲されていることを特徴とする。【選択図】図２
2012059386.tif 000002
【特許請求の範囲】
【請求項１】
信号端子とグランド端子とが並設されて構成される高速伝送電気コネクタであって、
前記信号端子と前記グランド端子はそれぞれ中央部分で絶縁ハウジングに固定され、前記各グランド端子は中央部分に設けられた連結部によって一体化され、前記各信号端子は前記絶縁ハウジングの内部で前記グランド端子に沿うように屈曲されていることを特徴とする高速伝送電気コネクタ。
【請求項２】
前記絶縁ハウジングには突出部が所定間隔で形成され、該各突出部の間に前記各グランド端子が圧入されるようになっており、前記各信号端子は前記突出部の内部を利用して前記グランド端子に沿うように屈曲されていることを特徴とする請求項１に記載の高速伝送電気コネクタ。
【発明の詳細な説明】
【技術分野】
【０００１】
本発明は、信号端子とグランド端子とが並設されて構成される高速伝送電気コネクタに関するものである。
【背景技術】
【０００２】
近年、通信装置やコンピュータなどでは、伝送信号の高速化が進むと共に、基板実装の高密度化の傾向があり、多信号の高速伝送を実現する電気コネクタの要求が強くなっている。
【０００３】
従来のこの種の高速伝送電気コネクタとしては、例えば、複数本の導電性のコンタクトと、該コンタクトを保持するインシュレータとを含み、前記コンタクトは、信号コンタクトとグランドコンタクトとからなり、該グランドコンタクトは一対のペアコンタクトから成る信号コンタクト間に配設されていることを特徴とするコネクタなどが公知である（例えば、特許文献１参照）。
【先行技術文献】
【特許文献】
【０００４】
【特許文献１】特開２００６−１２０３４５号公報
【発明の概要】
【発明が解決しようとする課題】
【０００５】
しかしながら、上記した従来の高速伝送電気コネクタでは、一対のペアコンタクトから成る信号コンタクトの間にグランドコンタクトが配置されているため、コモンモード特性が悪く、クロストークの抑制を十分に行うことができないといった問題があった。
【０００６】
また、高速伝送電気コネクタを組立てる際に、複数のグランドコンタクトをインシュレータに一度に圧入する必要があるため、グランドコンタクトの先端のぶれの影響などにより、組み立て作業に手間が掛かるといった問題もあった。
【０００７】
本発明は、上記した課題を解決すべくなされたものであり、共振を減少させ、コモンモード特性を向上させ、クロストークを抑制すると共に、組み立て作業の簡素化を図ることのできる高速伝送電気コネクタを提供することを目的とするものである。
【課題を解決するための手段】
【０００８】
上記した目的を達成するため、本発明は、信号端子とグランド端子とが並設されて構成される高速伝送電気コネクタであって、前記信号端子と前記グランド端子はそれぞれ中央部分で絶縁ハウジングに固定され、前記各グランド端子は中央部分に設けられた連結部によって一体化され、前記各信号端子は前記絶縁ハウジングの内部で前記グランド端子に沿うように屈曲されていることを特徴とする。
【０００９】
このように前記各グランド端子が前記連結部を介して一体化されることにより、共振を減少させることができる。また、高速伝送電気コネクタを組立てる際に、前記グランド端子を前記絶縁ハウジングに固定する作業を一度に行うことができるため、組み立て作業の簡素化を図ることができる。
【００１０】
さらに、前記各信号端子が前記絶縁ハウジングの内部で前記グランド端子に沿うように屈曲されることにより、前記信号端子間のクロストークを減少させることができると共にコモンモード特性の向上を図ることができる。
【００１１】
また、本発明に係る高速伝送電気コネクタにおいて、前記絶縁ハウジングには突出部が所定間隔で形成され、該各突出部の間に前記各グランド端子が圧入されるようになっており、前記各信号端子は前記突出部の内部を利用して前記グランド端子に沿うように屈曲されている特徴を備えているのが好ましい。
【００１２】
このように前記各信号端子が前記絶縁ハウジングの突出部の内部を利用して前記グランド端子に沿うように屈曲されることにより、前記グランド端子が前記信号端子の間に配置される長さを最大限に延長することができるため、さらに、前記信号端子間のクロストークを低下させることができると共にコモンモード特性の向上を図ることができる。
【発明の効果】
【００１３】
本発明に係る高速伝送電気コネクタによれば、共振を減少させ、コモンモード特性を向上させ、クロストークを抑制すると共に、組み立て作業の簡素化を図ることができる等、種々の優れた効果を得ることができる。
【図面の簡単な説明】
【００１４】
【図１】本発明の実施の形態に係る高速伝送電気コネクタを示す分解斜視図である。
【図２】本発明の実施の形態に係る高速伝送電気コネクタのコネクタ本体を示す斜視図である。
【図３】本発明の実施の形態に係る高速伝送電気コネクタのコネクタ本体を示す斜視図である。
【図４Ａ】図３のＡ−Ａ断面図である。
【図４Ｂ】図４Ａの変形例を示す断面図である。
【図５】図３のＢ−Ｂ断面図である。
【図６】本発明の実施の形態に係る高速伝送電気コネクタのグランド端子と信号端子を示す斜視図である。
【図７】本発明の実施の形態に係る高速伝送電気コネクタと相手側コネクタとを示す分解斜視図である。
【発明を実施するための形態】
【００１５】
以下、図面を参照しつつ、本発明の実施の形態について説明する。
【００１６】
図１は本発明の実施の形態に係る高速伝送電気コネクタを示す分解斜視図であり、この実施の形態に係る高速伝送電気コネクタ１は、扁平細長で角筒状のケース２の内部に一方向（図示では下方）から複数（図示では１０個）のコネクタ本体３が複数段複数列（図示では２段５列）で挿入されることにより構成されており、基板（図示省略）上に実装されるようになっている。
【００１７】
図２はコネクタ本体３を一方向から示す斜視図、図３はコネクタ本体３を他方向から示す斜視図、図４Ａは図３のＡ−Ａ断面図、図４Ｂは図４Ａの変形例を示す断面図、図５は図３のＢ−Ｂ断面図であり、このコネクタ本体３は、細長略直方体板状の絶縁ハウジング４と、絶縁ハウジング４に固定されて交互に並設される複数（図示では７個）のグランド端子５と複数（図示では６個）の信号端子６とを備えて構成されている。
【００１８】
絶縁ハウジング４は、ケース２の内部に挿入可能なようにモールド成形されており、絶縁ハウジング４の外面には一方の縁部（図示では下縁部）に沿って並列に複数（図示では６個）の突出部７が形成されている。各突出部７は矩形板状を成し、各突出部７の間には所定幅（例えば、２ｍｍ幅）の圧入間隙８がそれぞれ形成されている。また、絶縁ハウジング４の内面には中央に嵌合凸部９が突設されており、この嵌合凸部９はケース２の嵌合凹部（図示省略）に嵌合可能となっている。
【００１９】
図６に良く示されているように、各グランド端子５は、金属板を打抜き、部分的に屈曲して形成されており、中央部分に形成された短冊板状の連結部１０によって一体化されている。そして、グランド端子５は、連結部１０から一方向（図示では上方）に所定間隔で延出するコンタクト部１１と、各コンタクト部１１に対応するように連結部１０から他方向（図示では下方）に所定間隔で延出するリード部１２とを備えて構成されている。
【００２０】
図５及び図６に良く示されているように、グランド端子５のコンタクト部１１は、所要のバネ性能を発揮するために一定の長さを有し、各グランド端子５の基端部１３はそれぞれ他の部分より幅広に形成され、その先端部は内側に屈曲されて接触部１４が形成されている。
【００２１】
グランド端子５のリード部１２のうち、左右両側のリード部１２Ｌ，１２Ｒを除く各リード部１２Ｍには、基端側にそれぞれ圧入部１５が形成されている。各圧入部１５は、他の部分の幅（例えば、２ｍｍ幅）より幅広（例えば、３ｍｍ幅）に形成された肩部１６と、肩部１６から先端方向に向かって幅狭となるように傾斜するテーパ部１７とを備えて構成されている。これにより、絶縁ハウジング４の各圧入間隙８に対して一方向（図示では上方）から各圧入部１５を圧入することによりグランド端子５が絶縁ハウジング４に固定されるようになっている。
【００２２】
また、各グランド端子５のリード部１２の先端部３１は外側に直角に屈曲されて形成されており、この先端部１６の屈曲作業はグランド端子５を絶縁ハウジング４に圧入した状態で行われるため、この屈曲作業の際にグランド端子５を押止できるように、この先端部３１と圧入部１５との間には、所定長の直線部３２が形成されている。
【００２３】
図４Ａ及び図６に良く示されているように、複数（図示では６個）の信号端子６は、金属板を打抜き、それぞれ別個に形成されている。そして、各信号端子６は、絶縁ハウジング４と一体成形され、その中央部分１８は絶縁ハウジング４の内部に固定されている。各信号端子６の中央部分１８には、グランド端子５に沿うように（別の言い方をすれば、側面視でグランド端子５に重なるように）突出部７の内部を利用して外側に屈曲された屈曲部１９が形成されている。また、各信号端子６は、グランド端子５の各コンタクト部１１の間に配設されるコンタクト部２０と、グランド端子５の各リード部１２の間に配設されるリード部２１とを備えて構成されている。
【００２４】
なお、上記した「グランド端子５に沿うように突出部７の内部を利用して外側に屈曲」とは、図４Ａに示すように、突出部７の内部においてグランド端子５に重なるように外側に屈曲する場合のみを意味するものではなく、例えば、図４Ｂに示すように、突出部７の外部においてグランド端子５に重なるように外側に屈曲する場合をも含むものとする。
【００２５】
信号端子６のコンタクト部２０は、グランド端子５のコンタクト部１１と同様に、所要のバネ性能を発揮するために一定の長さを有し、その先端部は内側に屈曲されて接触部２２が形成されており、絶縁ハウジング４の近接部分２３を除いて、グランド端子５のコンタクト部１１にほぼ沿うように（別の言い方をすれば、側面視でグランド端子５のコンタクト部１１にほぼ重なるように）形成されている。
【００２６】
各信号端子６のリード部２１の先端部２４は、外側に直角に屈曲されて形成されており、グランド端子５のリード部１２に沿うように（別の言い方をすれば、側面視でグランド端子５のリード部１２に重なるように）形成されている。グランド端子５のリード部１２と同様に、各信号端子６のリード部２１の先端部２４の屈曲作業は信号端子６を絶縁ハウジング４に一体成形した状態で行われるため、この屈曲作業の際に信号端子６を押止できるように、この先端部２４と屈曲部１９との間には、所定長の直線部２５が形成されている。
【００２７】
図７は上記した構成を備えた本発明の実施の形態に係る高速伝送電気コネクタ１と相手側コネクタ２６とを示す分解斜視図であり、この相手側コネクタ２６は、本発明の実施の形態に係る高速伝送電気コネクタ１のケース２より高背型のケース２７の内部に一方向（図示では上方）から複数（図示では１０個）のコネクタ本体２８が複数段複数列（図示では２段５列）で挿入されることにより構成され、本発明の実施の形態に係る高速伝送電気コネクタ１に一方向（図示では上方）から嵌合するようになっている。また、相手側コネクタ２６のコネクタ本体２８には、本発明の実施の形態に係る高速伝送電気コネクタ１のコネクタ本体３のグランド端子５及び信号端子６に接触するように、グランド端子２９及び信号端子３０がそれぞれ設けられている。
【００２８】
このような構成を備えた相手側コネクタ２４を本発明の実施の形態に係る高速伝送電気コネクタ１に上方から嵌合し、各グランド端子５，２９同士及び各信号端子６，３０同士を接触させて信号を高速伝送させる場合、各グランド端子５が連結部１０を介して一体化されているため、共振を減少させることができる。また、高速伝送電気コネクタ１を組立てる際に、グランド端子５を絶縁ハウジング４に圧入する作業を一度に行うことができるため、組み立て作業の簡素化を図ることもできる。
【００２９】
さらに、各グランド端子５のコンタクト部１１とリード部１２をそれぞれ各信号端子６のコンタクト部２０とリード部２１の間に位置するように連結部１０から延出させているため、信号端子６間のクロストークを減少させることができると共にコモンモード特性の向上を図ることができる。
【００３０】
特に、各信号端子６の中央部分１８に、できる限りグランド端子５に沿うように（別の言い方をすれば、側面視でできる限りグランド端子５に重なるように）突出部７の内部を利用して屈曲部１９を形成し、グランド端子５が信号端子６の間に配置される長さを最大限に延長しているため、信号端子６間のクロストークをより一段と低下させることができる。
【００３１】
また、各コンタクト部１１，２０は、所要のバネ性能を発揮して相手側コネクタ２４との間で所定の接圧を確保するために所定の長さを必要とし、各リード部１２，２１は、先端部３１，２４の屈曲作業を絶縁ハウジング４に一体成形した状態で行うために所定の長さを必要とする。さらに、絶縁ハウジング４は、ケース２への安定した固定とグランド端子５の連結部１０の安定した支持のために所定の高さを必要とする。したがって、これらの長さや高さは単に短くすることができないため、信号端子６を絶縁ハウジング４の内部でグランド端子５に沿うように屈曲することにより、高速伝送電気コネクタ１の低背化を図ることが可能となる。
【００３２】
なお、上記した本発明の実施の形態の説明では、グランド端子５を絶縁ハウジング４に圧入することにより固定し、信号端子６を絶縁ハウジング４と一体成形することにより固定しているが、これは単なる一例に過ぎず、例えば、グランド端子５も絶縁ハウジング４に一体成形する等、絶縁ハウジング４に対するグランド端子５や信号端子６の固定方法については各種変更が可能である。
【００３３】
また、上記した本発明の実施の形態では、信号端子６とグランド端子７とが１本ずつ交互に並設されている場合について例示して説明したが、本発明はこの場合に限定されるものではなく、例えば、各グランド端子７の間に２本の信号端子６が並設されている差動回路の配列パターン等、信号端子６とグランド端子７が他の配列パターンで並設されている場合にも適用可能である。
【００３４】
また、上記した本発明の実施の形態の説明は、本発明に係る高速伝送電気コネクタにおける好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３５】
１          高速伝送電気コネクタ
４          絶縁ハウジング
５          グランド端子
６          信号端子
７          突出部
１０        連結部
１８        （信号端子の）中央部分
【図１】
2012059386.tif 000003
【図２】
2012059386.tif 000004
【図３】
2012059386.tif 000005
【図４Ａ】
2012059386.tif 000006
【図４Ｂ】
2012059386.tif 000007
【図５】
2012059386.tif 000008
【図６】
2012059386.tif 000009
【図７】
2012059386.tif 000010